【手続補正書】
【提出日】平成24年5月25日(2012.5.25)
【手続補正１】
【補正対象書類名】特許請求の範囲
【補正対象項目名】全文
【補正方法】変更
【補正の内容】
【特許請求の範囲】
【請求項１】
認証処理の対象とする電子機器に対する電力の供給を制御する電力管理装置であって、
前記電子機器を個体毎に特定するための機器情報を、前記電子機器から取得する機器情報取得部と、
取得した前記機器情報を、前記電子機器の設計に関する情報及び前記電子機器を個体毎に特定するための情報を保持するサーバに送付する機器情報送付部と、
前記電子機器に対する動作命令を生成するための情報を、前記電子機器および前記サーバに送付する動作命令情報送付部と、
前記電子機器が送付された前記動作命令を生成するための情報に基づいて前記電子機器を動作させたときに測定して前記サーバに送付した第１の特性と、前記サーバが送付された前記機器情報と前記動作命令を生成するための情報に基づいて前記電子機器から送付された前記第１の特性が測定されたときと同じ動作を前記電子機器にさせたときの特性を前記サーバ内の情報を用いて算出した前記第１の特性に相当する第２の特性とを、前記サーバが比較した比較結果を前記サーバから受信する比較結果受信部と、
受信した前記比較結果に基づいて前記電子機器に対する電力の供給を制御する制御部と、
を具備する電力管理装置。
【請求項２】
前記機器情報は、前記電子機器の型番や機器ＩＤを含む
請求項１に記載の電力管理装置。
【請求項３】
前記第１の特性は、前記電子機器の複数の電気部品や回路の中から選択された、所定の測定対象の電流値、インピーダンス特性、トランジスタ特性、もしくは制御パラメータである
請求項１に記載の電力管理装置。
【請求項４】
前記電子機器は、前記測定対象を切り替える機能を有する
請求項２に記載の電力管理装置。
【請求項５】
前記電力管理装置からの前記動作命令を生成するための情報は、暗号化されて送られ、前記電子機器および前記サーバで復号化されて生成される
請求項１に記載の電力管理装置。
【請求項６】
前記動作命令を生成するための情報は、前記電力管理装置が発生させた乱数である
請求項５に記載の電力管理装置。
【請求項７】
前記電力管理装置は、前記サーバから、前記電子機器および前記サーバが保持する秘密鍵とペアを成す公開鍵を取得し、
前記動作命令を生成するための情報を、取得した前記公開鍵で暗号化して、前記電子機器および前記サーバに送付し、
前記電子機器および前記サーバは、暗号化して送付された前記動作命令を生成するための情報を、保持している秘密鍵で復号化して動作命令を生成する
請求項６に記載の電力管理装置。
【請求項８】
前記電力管理装置は、前記サーバが前記第１の特性と前記第２の特性とが一致したと判定したときには前記電子機器に対する電力の供給を許可し、一致しないと判定したときには前記電子機器に対する電力の供給を禁止する
請求項１に記載の電力管理装置。
【請求項９】
電力管理装置の認証対象とされ、当該電力管理装置に電力の供給を制御される電子機器であって、
前記電子機器を個体毎に特定するための機器情報を前記電力管理装置に取得させる、機器情報被取得部と、
前記電子機器が前記電力管理装置からの動作命令を生成するための情報に基づいて、前記電子機器を動作させたときの、第１の特性を測定して、前記電子機器の設計に関する情報及び前記電子機器を個体毎に特定するための情報を保持するサーバに送付する特性送付部と、
を具備し、
前記サーバが、前記電力管理装置から送付される前記機器情報と前記動作命令を生成するための情報とに基づいて、前記電子機器から送付された前記第１の特性が測定されたときと同じ動作を前記電子機器にさせたときの前記第１の特性に相当する第２の特性を前記サーバ内の情報を用いて算出し、前記第１の特性と前記第２の特性とを比較し、比較結果を前記電力管理装置に送付すると、
前記比較結果に基づいて、前記電力管理装置により電力の供給を制御される、
電子機器。
【請求項１０】
電力管理装置の認証対象とされ、当該電力管理装置に電力の供給を制御される電動移動体であって、
前記電動移動体を個体毎に特定するための機器情報を前記電力管理装置に取得させる、機器情報被取得部と、
前記電動移動体が前記電力管理装置からの動作命令を生成するための情報に基づいて、前記電動移動体を動作させたときの、第１の特性を測定して、前記電動移動体の設計に関する情報及び前記電動移動体を個体毎に特定するための情報を保持するサーバに送付する特性送付部と、
を具備し、
前記サーバが、前記電力管理装置から送付される前記機器情報と前記動作命令を生成するための情報とに基づいて、前記電動移動体から送付された前記第１の特性が測定されたときと同じ動作を前記電動移動体にさせたときの前記第１の特性に相当する第２の特性を前記サーバ内の情報を用いて算出し、前記第１の特性と前記第２の特性とを比較し、比較結果を前記電力管理装置に送付すると、
前記比較結果に基づいて、前記電力管理装置により電力の供給を制御される、
電動移動体。
【請求項１１】
電力管理装置が認証処理の対象とする電子機器の、設計に関する情報及び前記電子機器を個体毎に特定するための情報を保持するサーバであって、
前記電力管理装置が前記電子機器を個体毎に特定するための前記機器情報を取得して送付した前記機器情報を受信する機器情報受信部と、
前記電子機器が前記電力管理装置からの前記動作命令を生成するための情報に基づいて、前記電子機器を動作させたときの、第１の特性を測定して送付した特性を受信する特性受信部と、
前記電力管理装置からの前記機器情報と前記動作命令を生成するための情報に基づいて、前記電子機器から送付された前記第１の特性が測定されたときと同じ動作を前記電子機器にさせたときの前記第１の特性に相当する第２の特性を前記サーバ内の情報を用いて算出し、前記第１の特性と前記第２の特性とを比較し、比較結果に基づいて前記電子機器に対する電力の供給を制御する前記電力管理装置に、前記比較結果を送付する比較結果送付部と、
を具備するサーバ。
【請求項１２】
電力管理装置が認証の対象とする電子機器への放電を、電力管理装置に制御される蓄電装置であって、
バッテリと、
前記電力管理装置から送信される放電制御信号を受信する受信部とを備え、
前記電力管理装置は、前記電子機器を個体毎に特定するための機器情報を前記電子機器から取得する機器情報取得部と、取得した前記機器情報を前記電子機器の設計に関する情報及び前記電子機器を個体毎に特定するための情報を保持するサーバに送付する機器情報送付部と、前記電子機器に対する動作命令を生成するための情報を前記電子機器および前記サーバに送付する動作命令情報送付部と、前記電子機器が送付された前記動作命令を生成するための情報に基づいて前記電子機器を動作させたときに測定して前記サーバに送付した第１の特性と、前記サーバが送付された前記機器情報と前記動作命令を生成するための情報に基づいて前記電子機器から送付された前記第１の特性が測定されたときと同じ動作を前記電子機器にさせたときの特性を前記サーバ内の情報を用いて算出した前記第１の特性に相当する第２の特性とを前記サーバが比較した比較結果を受信する比較結果受信部と、前記比較結果に基づいて前記放電制御信号を前記蓄電装置に送信する送信部とを備え、
前記電力管理装置から受信した放電制御信号に基づいて、前記電子機器への放電を制御される、
蓄電装置。
【請求項１３】
電子機器を個体毎に特定するための機器情報を取得して、前記機器情報を前記電子機器の設計に関する情報及び前記電子機器を個体毎に特定するための情報を保持するサーバに送付し、さらに動作命令を生成するための情報を前記電子機器と前記サーバとに送付する電力管理装置と、
前記電力管理装置からの動作命令を生成するための情報に基づいて、前記電子機器を動作させたときの、第１の特性を測定して、前記サーバに送付する電子機器と、
前記電力管理装置からの前記機器情報と前記動作命令を生成するための情報とに基づいて、前記電子機器から送付された前記第１の特性が測定されたときと同じ動作を前記電子機器にさせたときの前記第１の特性に相当する第２の特性を前記サーバ内の情報を用いて算出し、前記第１の特性と前記第２の特性とを比較し、比較結果を前記電力管理装置に送付するサーバと、
を含む、
機器認証システム。
【請求項１４】
電力管理装置が電子機器を個体毎に特定するための機器情報を取得して、前記機器情報を前記電子機器の設計に関する情報及び前記電子機器を個体毎に特定するための情報を保持するサーバに送付するステップと、
前記電子機器が前記電力管理装置からの動作命令を生成するための情報に基づいて、前記電子機器を動作させたときの、第１の特性を測定して、前記サーバに送付するステップと、
前記サーバが、前記電力管理装置からの前記機器情報と前記動作命令を生成するための情報とに基づいて、前記電子機器から送付された前記第１の特性が測定されたときと同じ動作を前記電子機器にさせたときの前記第１の特性に相当する第２の特性を前記サーバ内の情報を用いて算出し、前記第１の特性と前記第２の特性とを比較し、比較結果を前記電力管理装置に送付するステップと、
前記電力管理装置が前記比較結果に基づいて、前記電子機器に対する電力の供給を制御するステップと、
を含む、
給電制御方法。
【請求項１５】
認証処理の対象とする電子機器の製造元が管理する製造元サーバから、前記電子機器及び前記製造元サーバが保持する秘密鍵とペアを成す公開鍵を取得する公開鍵取得部と、
乱数を発生させ、前記公開鍵取得部により取得された公開鍵により前記乱数を暗号化して暗号文を生成する暗号文生成部と、
前記暗号文生成部により生成された暗号文を前記電子機器及び前記製造元サーバに送信する暗号文送信部と、
を有する、電力管理装置と、
前記暗号文送信部により送信された暗号文を復号して乱数を復元する第１復号部と、
前記第１復号部により復元された乱数に基づいて電気部品を動作させ、当該電気部品を流れる電流値を計測する電流計測部と、
前記電流計測部により計測された電流値を前記製造元サーバに送信する第１送信部と、
を有する、前記電子機器と、
前記暗号文送信部により送信された暗号文を復号して乱数を復元する第２復号部と、
前記第２復号部により復元された乱数に基づいて前記電気部品の動作をシミュレートして当該電気部品を流れる電流値を算出する電流シミュレータと、
前記第１送信部により送信された第１の電流値と、前記電流シミュレータにより算出された第２の電流値と、を比較する電流値比較部と、
前記電流値比較部による比較結果を前記電力管理装置に送信する結果送信部と、
を有する、前記製造元サーバと、
を含む、
機器認証システム。
【請求項１６】
前記電子機器を接続可能な接続端子と、
前記接続端子に接続された電子機器に電力を供給する給電部と、
前記接続端子に接続された電子機器の電流計測部が前記乱数に基づいて電気部品を動作させた際に前記給電部により供給された電流値を計測する供給電流計測部と、
前記供給電流計測部により計測された第３の電流量を前記製造元サーバに送信する第２送信部と、
を有する、給電端子をさらに含み、
前記電流値比較部は、
前記第１送信部により送信された第１の電流値と、前記電流シミュレータにより算出された第２の電流値と、前記第２送信部により送信された第３の電流値と、を比較する、
請求項１５に記載の機器認証システム。
【請求項１７】
前記電力管理装置は、
前記結果送信部により送信された比較結果を参照し、前記第１の電流値と前記第２の電流値とが一致した場合には前記電子機器に対する電力の供給を許可し、不一致の場合には前記電子機器に対する電力の供給を禁止する給電制御部をさらに有する、
請求項１５に記載の機器認証システム。
【請求項１８】
前記電力管理装置は、
前記結果送信部により送信された比較結果を参照し、前記第１の電流値、前記第２の電流値、前記第３の電流値が全て一致した場合には前記電子機器に対する電力の供給を許可し、いずれかが不一致の場合には前記電子機器に対する電力の供給を禁止する給電制御部をさらに有する、
請求項１６に記載の機器認証システム。
【請求項１９】
前記電流計測部は、
前記第１復号部により復元された乱数を用いて、所定の電気部品を動作させるための動作命令を生成する第１命令生成部と、
前記第１命令生成部により生成された動作命令を実行して、前記所定の電気部品を動作させる動作制御部と、
前記動作制御部により動作させられた前記所定の電気部品を流れる電流値を計測する計測部と、
を含み、
前記電流シミュレータは、
前記第２復号部により復元された乱数を用いて、前記所定の電気部品を動作させるための動作命令を生成する第２命令生成部と、
前記所定の電気部品の設計図に基づき、前記第２命令生成部により生成された動作命令の実行工程をシミュレートして前記所定の電気部品を流れる電流値を算出する算出部と、
を含む、
請求項１５に記載の機器認証システム。
【請求項２０】
前記電力管理装置は、
前記電子機器を構成する複数の電気部品の中から、前記所定の電気部品に設定する電気部品をランダムに選択する部品選択部と、
前記部品選択部により選択された電気部品の情報を前記電子機器及び前記製造元サーバに送信する部品情報送信部と、
をさらに有する、
請求項１５に記載の機器認証システム。
給電制御方法。
【手続補正２】
【補正対象書類名】明細書
【補正対象項目名】発明の名称
【補正方法】変更
【補正の内容】
【発明の名称】電力管理装置、電子機器、電動移動体、サーバ、蓄電装置、機器認証システム、及び給電制御方法
【手続補正３】
【補正対象書類名】明細書
【補正対象項目名】０００１
【補正方法】変更
【補正の内容】
【０００１】
本発明は、電力管理装置、電子機器、電動移動体、サーバ、蓄電装置、機器認証システム、及び給電制御方法に関する。
【手続補正４】
【補正対象書類名】明細書
【補正対象項目名】０００８
【補正方法】変更
【補正の内容】
【０００８】
しかしながら、電子機器全体の消費電流に関する特徴量を照合するだけでは、必ずしも十分な安全性を確保することは難しい。また、上記文献に記載の特徴量は、個々の電子機器を確実に特徴付ける特徴量として十分ではない。そのため、十分な安全性を確保するには、より確実に個々の電子機器を特徴付ける特異な特徴量を利用するか、その特徴量が、対象となる電子機器に固有のものであることを確実に検証できる仕組みを設けることが必要である。そこで、本発明は、上記問題に鑑みてなされたものであり、本発明の目的とするところは、より確実に個々の電子機器を特定することが可能な、新規かつ改良された電力管理装置、電子機器、電動移動体、サーバ、蓄電装置、機器認証システム、及び給電制御方法を提供することにある。